(57)【要約】【課題】  ライトガイドに複数の機能を持たせることでより報知の効果を高めることを可能にする。【解決手段】  ライトガイドを装置本体に対して相対的に移動させることで、LEDからの光を複数の方向に照射でき、これまでよりも優れたユーザーへの報知の効果を発揮する記録装置を提供することが可能である。【選択図】  図１
2007118303.tif 000002
【特許請求の範囲】
【請求項１】
記録装置本体内部に備えられた基板上に実装された光源手段から発せられた光を前記記録装置本体の外部に導くライトガイド部材を有し、記録媒体に記録を行う記録装置において、
前記ライトガイド部材は前記記録装置の複数の姿勢において、それぞれ異なる方向に前記光を導光させることを特徴とする記録装置。
【請求項２】
前記ライトガイド部材は前記記録装置の複数の姿勢において、前記記録装置本体に対して、それぞれ相対的に移動することを特徴とする請求項１に記載の記録装置。
【請求項３】
前記記録装置の第１の姿勢は使用状態であり、前記ライトガイド部材はエラー状態を報知するよう機能し、第２の姿勢は非使用状態であり、前記ライトガイド部材は前記第１の姿勢とは異なった被照射体を照射するよう機能することを特徴とする、請求項１から２に記載の記録装置。
【発明の詳細な説明】
【技術分野】
【０００１】
本発明は、記録媒体に記録を行う記録装置に関する。詳しくは、記録装置本体内部に備えられた基板上に設けられたLED等の光源から発せられた光を記録装置外部に導くライトガイドを有する記録装置に関する。
【０００２】
なお、本発明における「記録」とは、文字や図形等の意味を持つ画像を記録媒体に対して付与することだけでなく、パターン等の意味を持たない画像を付与することも意味するものである。
【背景技術】
【０００３】
従来、プリンタ装置、複写機、ファクシミリ等の機能を有する記録装置、あるいはコンピュータやワードプロセッサ等を含む複合型の電子機器やワークステーションの出力機器として用いられる記録装置では、画像データに基づいて記録媒体に画像を記録するように構成されている。このような記録装置は、その記録方式により、例えばインクジェット式、ワイヤドット式、サーマル式、レーザービーム式等に分けることができる。
【０００４】
記録媒体の搬送方向（副走査方向）に対して交差する方向（主走査方向）に記録ヘッドを走査して記録するシリアルタイプの記録装置においては、キャリッジ上に搭載した記録ヘッドによって画像を記録し、１行分の記録が終了すると、その記録幅に応じて所定量の紙送り（ピッチ送り）を行い、その後に再び停止した記録媒体に対して、その行の画像を記録（主走査）するという動作を繰り返して記録媒体上に画像を記録している。
【０００５】
一方、記録媒体のみを副走査方向に搬送してライン単位で記録をする記録装置においては、その記録幅に応じた所定量だけ記録媒体を送った（ピッチ送り）後、次の行の記録を行うという動作を繰り返すことにより、記録媒体全体に画像を記録している。
【０００６】
このような記録装置のうち、インクジェット記録装置は、記録ヘッドから記録媒体にインクを吐出して記録を行うものであり、記録手段を小型化でき、かつ高精細な画像を高速に記録することができる。また、ランニングコストが安く、ノンインパクト方式であるため騒音が少ない等の利点に加えて、多色のインクを使用してカラー画像を記録するのが容易である等の利点を有する。なかでも、記録媒体の幅方向に多数の吐出口を配列したラインタイプの記録ヘッドを使用したライン型のプリンタ装置によれば、記録速度をより一層高速にできる。
【０００７】
従来から、上記のような記録装置は装置内部に備えられた基板上にLEDが設けられ、このLEDの点灯、点滅等により記録装置の電源投入状態、外部ホストコンピュータからのデータ転送状態、記録装置の異常状態等を表示するように構成されている。このようにLEDの光を装置本体外部まで導くライトガイドを設けることにより、記録装置の各種状態をユーザーに報知している。
【０００８】
従来例としては、例えば特許文献１をあげることが出来る。
【特許文献１】特開平１１−１５５０４０号公報
【発明の開示】
【発明が解決しようとする課題】
【０００９】
近年では記録装置市場の競争激化により、高性能でありながら安価な製品を供給せざるを得ない状況である。そのような状況の中で、コストを極力掛けずにユーザーの目を引く付加価値の高い製品開発が求められている。
【００１０】
しかしながら従来の構成のライトガイドは前述したように、記録装置の各種状態をユーザーへ報知する単機能部品であり、記録装置本体に固定されているものが多く、複数の機能を持たせることは困難であった。そこで本発明では記録装置の姿勢差によりライトガイドを移動させることにより、複数の機能を持ったライトガイドを提供する事を可能とした。
【課題を解決するための手段】
【００１１】
本発明は以下の特徴による手段で課題を解決した。
【００１２】
移動可能に取り付けられたライトガイドにより、例えば記録装置第１の姿勢では従来のユーザーへの報知手段として用い、エラー状態を報知する。また、第二の姿勢ではライトガイドが移動することにより、記録装置に設けられた、被照射部材などを照射することを可能にした。
【発明の効果】
【００１３】
本発明によれば、ライトガイドを装置本体に対して相対的に移動させることで、LEDからの光を複数の方向に照射でき、これまでよりも優れたユーザーへの報知の効果を発揮する記録装置を提供することが可能である。
【発明を実施するための最良の形態】
【００１４】
以下図を参照して、本発明の実施の形態を説明する。各図において、同一符号は同一又は対応する部分を示している。
【実施例１】
【００１５】
本発明の第１の実施の形態について説明する。
【００１６】
図１は本発明を適応した記録装置の一実施例を示す斜視図である。記録装置１の前面には下ケース１０５に開閉可能に支持された給紙トレイ２が取り付けられている。また、上ケース１０４にはライトガイドP１１１、ライトガイドE１０１を回転可能支持したキー１０２及び、ライトガイドからの光を照射される被照射部材１０３が取り付けられている。
【００１７】
図２は記録装置の第１の姿勢を示す側面断面図である。ライトガイド１０１の直下にはエラーLED１０６がパネル基板１０８上に配されている。このパネル基板１０８は下ケース１０５に係止された、シャーシ１０９に取り付けられている。光源手段であるエラーLED１０６から発せられた光はライトガイドE１０１の入射端１０１aから出射端１０１bに向け導光し、図中の矢印A方向に照射される。これによりユーザーはLEDの光を認知することが可能となる。また、パワーLED１０７から発せられた光はライトガイドP１１１を導光し、図中矢印D方向に照射されている。
【００１８】
図３は図２の部分拡大図である。キー１０２に所定の角度で回転可能に支持されたライトガイド１０１は回転中心Oを基点とし、図中矢印B方向に自重により回転可能に支持されている。
【００１９】
図４は記録装置の第２の姿勢を示す側面断面図である。記録装置１は給紙トレイ２を下に向けて収納スタンド１１０に略垂直の立てられ収納される。このときライトガイドE１０１は図５のように自重により回転中心Oを基点とし回動し、不図示の回転止めにより姿勢を決め、入射端１０１aがパワーLED１０７と直交する状態となる。この状態でパワーLED１０７から発せられた光は入射端１０１aから出射端１０１bに向け導光し、図中の矢印C方向に照射される。矢印C方向には被照射部材１０３があるため、被照射部材１０３は効果的にライトガイドからの光を受けることが可能となる。このときライトガイドP１１１は装置に固定されているため、常にパワーLED１０７の光を矢印D方向に照射している。
【実施例２】
【００２０】
前述した実施形態ではライトガイドの移動方法に回動を用いていたが、これに限定されるものではなく、スライド等の記録装置本体に対して相対的に移動し、ライトガイドの照射方向を変えるものであれば、複数の機能をライトガイドに持たせることが可能となる。
【図面の簡単な説明】
【００２１】
【図１】本発明の一実施例の形態に係わる記録装置斜視図。
【図２】本発明の一実施例の形態に係わる側面断面図（第１の姿勢）。
【図３】図２の部分拡大図。
【図４】本発明の一実施例の形態に係わる側面断面図（第２の姿勢）。
【図５】図４の部分拡大図。
【符号の説明】
【００２２】
１  記録装置本体
２  給紙トレイ
１０１  ライトガイドE
１０１a  ライトガイド入射端
１０１b  ライトガイド出射端
１０２  キー
１０３  被照射部材
１０４  上ケース
１０５  下ケース
１０６  エラーLED
１０７  パワーLED
１０８  パネル基板
１０９  シャーシ
１１０  収納スタンド
１１１  ライトガイドP
A  照射方向
B  ライトガイド回動方向
C  照射方向
O  ライトガイド回転中心
【図１】
2007118303.tif 000003
【図２】
2007118303.tif 000004
【図３】
2007118303.tif 000005
【図４】
2007118303.tif 000006
【図５】
2007118303.tif 000007